(57)【要約】【課題】  機構の簡素化による小型化を確保すると共に印画紙の搬送に支障を来たすことがなく駆動モーターの脱調を防止する。【解決手段】  ロール状に巻回された印画紙１００が装填される装填部３と、装填部から印画紙を送り出す給紙ローラー８と、印画紙を折り返して搬送する折返しローラー９と、印画紙に対する印刷を行う印画ヘッド６ａと、印画紙を切断するカッターを有するカッター機構部７と、印画紙が排出される排出部８と、印画紙を排出部へ向けて搬送するキャプスタン１３と、印画紙を挟んでキャプスタンに接触されるピンチローラー１４と、キャプスタンを回転させる駆動モーター１９と、駆動モーターに付与される負荷の大きさに応じて折返しローラーを移動させる張力制御機構２２とを設け、ローラーの回転中心が、折返しローラーに送られる印画紙の送り方向と折返しローラーから送られる印画紙の送り方向との２等分線より折返しローラーに送られる印画紙の送り方向側において移動されるようにした。【選択図】        図３
2011230303.tif 000002
【特許請求の範囲】
【請求項１】
ロール状に巻回された印画紙が装填される装填部と、
前記装填部から前記印画紙を送り出す給紙ローラーと、
前記給紙ローラーによって送り出された前記印画紙を折り返して搬送する折返しローラーと、
前記印画紙に対する印刷を行う印画ヘッドと、
前記印画ヘッドによって印刷された印画紙を切断するカッターを有するカッター機構部と、
前記カッターによって切断された前記印画紙が排出される排出部と、
前記印画紙を排出部へ向けて搬送するキャプスタンと、
前記印画紙を挟んで前記キャプスタンに接触されるピンチローラーと、
前記キャプスタンを回転させる駆動モーターと、
前記印画紙を介して前記駆動モーターに付与される負荷の大きさに応じて前記折返しローラーを移動させて前記印画紙に対する張力を調整する張力制御機構とを備え、
前記張力制御機構の調整時における前記折返しローラーの回転中心が、前記折返しローラーに送られる前記印画紙の送り方向と前記折返しローラーから送られる前記印画紙の送り方向との２等分線より前記折返しローラーに送られる前記印画紙の送り方向側において移動されるようにした
プリンター。
【請求項２】
前記張力制御機構に、
前記折返しローラーを回転自在に支持し回動することにより前記折返しローラーを移動させる回動レバーと、
前記回動レバーの回動速度を制御するダンパーとを設けた
請求項１に記載のプリンター。
【請求項３】
前記張力制御機構に、前記回動レバーに連結され前記折返しローラーを前記印画紙に押し付ける方向への付勢力を付与する付勢バネを設けた
請求項２に記載のプリンター。
【請求項４】
前記張力制御機構に、前記折返しローラーを回転自在に支持し回動することにより前記折返しローラーを移動させる回動レバーと、
前記回動レバーに連結され前記折返しローラーを前記印画紙に押し付ける方向への付勢力を付与する付勢バネとを設けた
請求項１に記載のプリンター。
【請求項５】
前記回動レバーに対する前記付勢バネの連結位置を、前記折返しローラーの前記回動レバーに対する支持点を挟んで前記回動レバーの回動支点部の反対側にした
請求項３に記載のプリンター。
【請求項６】
前記回動レバーに対する前記付勢バネの連結位置を、前記折返しローラーの前記回動レバーに対する支持点を挟んで前記回動レバーの回動支点部の反対側にした
請求項４に記載のプリンター。
【発明の詳細な説明】
【技術分野】
【０００１】
本発明はプリンターについての技術分野に関する。詳しくは、印画紙に対する張力を調整する張力制御機構を設けて駆動モーターに対する負荷の軽減等を図る技術分野に関する。
【背景技術】
【０００２】
プリンターには、ロール状に巻回された印画紙を給紙ローラーによって送り出して印刷し印刷後にカッターによって切断するタイプと、予め所定の大きさに切断された印画紙を搬送して印刷を行うタイプとがある。
【０００３】
近年、デジタルカメラ等の撮像装置の普及に伴い、高画質かつ低コストで印刷を行うことが可能なロール状に巻回された印画紙を用いるプリンターが広く普及している（例えば、特許文献１参照）。ロール状に巻回された印画紙は印画紙が装填される装填部から印画紙が排出される排出部まで搬送機構によって搬送され、搬送機構は駆動モーターの駆動力によって動作される。
【０００４】
ところで、このようなロール状に巻回された印画紙を用いるプリンターにあっては、印画紙の巻弛みの程度、巻回量や重量の変動によって印画紙を介して駆動モーターに付与される負荷が変動し、負荷が大きい場合には駆動モーターが停止（脱調）するおそれがある。
【０００５】
そこで、ロール状に巻回された印画紙を用いるプリンターには、負荷の変動による駆動モーターの停止を防止するために、駆動モーターに対する負荷に応じて搬送速度を変更したものがある（例えば、特許文献２参照）。
【０００６】
また、印画紙に対する張力を検出する張力検出部を設け、張力検出部によって検出された検出信号に基づいて印画紙の搬送速度を変更して駆動モーターに対する負荷を軽減するようにしたプリンターもある（例えば、特許文献３参照）。
【０００７】
【特許文献１】特開２００９−１９０７９９号公報
【特許文献２】特開平２−１４７３６８号公報
【特許文献３】特開２００３−１９１５５４号公報
【発明の開示】
【発明が解決しようとする課題】
【０００８】
ところが、特許文献２に記載されたプリンターにあっては、搬送速度が変更されるため印刷時間が長くなると言う問題がある。
【０００９】
また、特許文献３に記載されたプリンターにあっては、張力検出部として印画紙の搬送経路にセンサーや張力を検出するためのアームやローラー等を別に設けているため、機構が複雑になると共に小型化を阻害すると言う問題がある。
【００１０】
さらに、駆動モーターに対する負荷を軽減する手段を設けたときに、印画紙の搬送に支障を来たすことがないようにする必要がある。
【００１１】
そこで、本発明プリンターは、上記した問題点を克服し、機構の簡素化による小型化を確保すると共に印画紙の搬送に支障を来たすことがなく駆動モーターの脱調を防止することを課題とする。
【課題を解決するための手段】
【００１２】
プリンターは、上記した課題を解決するために、ロール状に巻回された印画紙が装填される装填部と、前記装填部から前記印画紙を送り出す給紙ローラーと、前記給紙ローラーによって送り出された前記印画紙を折り返して搬送する折返しローラーと、前記印画紙に対する印刷を行う印画ヘッドと、前記印画ヘッドによって印刷された印画紙を切断するカッターを有するカッター機構部と、前記カッターによって切断された前記印画紙が排出される排出部と、前記印画紙を排出部へ向けて搬送するキャプスタンと、前記印画紙を挟んで前記キャプスタンに接触されるピンチローラーと、前記キャプスタンを回転させる駆動モーターと、前記印画紙を介して前記駆動モーターに付与される負荷の大きさに応じて前記折返しローラーを移動させて前記印画紙に対する張力を調整する張力制御機構とを備え、前記張力制御機構の調整時における前記折返しローラーの回転中心が、前記折返しローラーに送られる前記印画紙の送り方向と前記折返しローラーから送られる前記印画紙の送り方向との２等分線より前記折返しローラーに送られる前記印画紙の送り方向側において移動されるようにしたものである。
【００１３】
従って、プリンターにあっては、駆動モーターに付与される負荷の大きさに応じて折返しローラーが張力制御機構によって移動される。
【００１４】
上記したプリンターにおいては、前記張力制御機構に、前記折返しローラーを回転自在に支持し回動することにより前記折返しローラーを移動させる回動レバーと、前記回動レバーの回動速度を制御するダンパーとを設けることが望ましい。
【００１５】
張力制御機構に折返しローラーを移動させる回動レバーと回動レバーの回動速度を制御するダンパーとを設けることにより、回動レバーがダンパーによって制御された速度で回動される。
【００１６】
上記したプリンターにおいては、前記張力制御機構に、前記折返しローラーを回転自在に支持し回動することにより前記折返しローラーを移動させる回動レバーと、前記回動レバーに連結され前記折返しローラーを前記印画紙に押し付ける方向への付勢力を付与する付勢バネとを設けることが望ましい。
【００１７】
張力制御機構に折返しローラーを移動させる回動レバーと回動レバーに連結され折返しローラーを印画紙に押し付ける方向への付勢力を付与する付勢バネとを設けることにより、付勢バネの付勢力によって折返しローラーが適正な力で印画紙に押し付けられる。
【００１８】
上記したプリンターにおいては、回動レバーに対する付勢バネの連結位置を、折返しローラーの回動レバーに対する支持点を挟んで回動レバーの回動支点部の反対側にすることが望ましい。
【００１９】
回動レバーに対する付勢バネの連結位置を、折返しローラーの回動レバーに対する支持点を挟んで回動レバーの回動支点部の反対側にすることにより、回動レバーの回動支点部から付勢バネの連結位置までの距離が長くなる。
【発明の効果】
【００２０】
本発明プリンターは、ロール状に巻回された印画紙が装填される装填部と、前記装填部から前記印画紙を送り出す給紙ローラーと、前記給紙ローラーによって送り出された前記印画紙を折り返して搬送する折返しローラーと、前記印画紙に対する印刷を行う印画ヘッドと、前記印画ヘッドによって印刷された印画紙を切断するカッターを有するカッター機構部と、前記カッターによって切断された前記印画紙が排出される排出部と、前記印画紙を排出部へ向けて搬送するキャプスタンと、前記印画紙を挟んで前記キャプスタンに接触されるピンチローラーと、前記キャプスタンを回転させる駆動モーターと、前記印画紙を介して前記駆動モーターに付与される負荷の大きさに応じて前記折返しローラーを移動させて前記印画紙に対する張力を調整する張力制御機構とを備え、前記張力制御機構の調整時における前記折返しローラーの回転中心が、前記折返しローラーに送られる前記印画紙の送り方向と前記折返しローラーから送られる前記印画紙の送り方向との２等分線より前記折返しローラーに送られる前記印画紙の送り方向側において移動されるようにしている。
【００２１】
従って、機構の簡素化による小型化を確保することができると共に印画紙の搬送に支障を来たすことがなく駆動モーターの脱調を防止することができる。
【００２２】
請求項２に記載した発明にあっては、前記張力制御機構に、前記折返しローラーを回転自在に支持し回動することにより前記折返しローラーを移動させる回動レバーと、前記回動レバーの回動速度を制御するダンパーとを設けている。
【００２３】
従って、回動レバーの高速での回動動作が抑制され、印画紙の急激な張力の変動を抑制して駆動モーターの安定した駆動状態を確保することができる。
【００２４】
請求項３に記載した発明にあっては、前記張力制御機構に、前記回動レバーに連結され前記折返しローラーを前記印画紙に押し付ける方向への付勢力を付与する付勢バネを設けている。
【００２５】
従って、印画紙の張力の変動に追従した回動レバーの安定した回動動作を確保することができると共に印画紙に対して適正な力で折返しローラーが押し付けられ搬送動作の安定性を確保することができる。
【００２６】
請求項４に記載した発明にあっては、前記張力制御機構に、前記折返しローラーを回転自在に支持し回動することにより前記折返しローラーを移動させる回動レバーと、前記回動レバーに連結され前記折返しローラーを前記印画紙に押し付ける方向への付勢力を付与する付勢バネとを設けている。
【００２７】
従って、印画紙の張力の変動に追従した回動レバーの安定した回動動作を確保することができると共に印画紙に対して適正な力で折返しローラーが押し付けられ搬送動作の安定性を確保することができる。
【００２８】
請求項５に記載した発明にあっては、前記回動レバーに対する前記付勢バネの連結位置を、前記折返しローラーの前記回動レバーに対する支持点を挟んで前記回動レバーの回動支点部の反対側にしている。
【００２９】
従って、付勢バネとして付勢力の小さなものを用いて製造コストの低減を図ることができる。
【００３０】
請求項６に記載した発明にあっては、前記回動レバーに対する前記付勢バネの連結位置を、前記折返しローラーの前記回動レバーに対する支持点を挟んで前記回動レバーの回動支点部の反対側にしている。
【００３１】
従って、付勢バネとして付勢力の小さなものを用いて製造コストの低減を図ることができる。
【発明を実施するための最良の形態】
【００３２】
以下に、本発明プリンターの実施の形態を添付図面に従って説明する。
【００３３】
尚、以下に示した実施の形態は、本発明プリンターを、サーマルヘッドを用いて熱転写により印画紙に印刷を行うサーマルヘッドプリンターに適用したものである。但し、本発明プリンターは、サーマルヘッドプリンター以外の各種のプリンターに適用することが可能である。
【００３４】
［プリンターの構造］
プリンター１は外筐２の内外に所要の各部が配置されて成る（図１参照）。
【００３５】
外筐２の内部には装填部３と搬送部４とヘッド機構部５とリボン駆動部６とカッター機構部７が配置されている。
【００３６】
装填部３は外筐２の内部における下方側に配置され、装填部３にはロール状に巻回された印画紙１００が装填される。装填部３に装填された印画紙１００はロール部１００ａが装填部３に対して回転可能な状態とされる。
【００３７】
搬送部４は給紙ローラー８と折返しローラー９と送りガイド１０とガイド１１、１２とキャプスタン１３とピンチローラー１４とプラテンローラー１５とを有している。
【００３８】
給紙ローラー８は、例えば、ゴム材料によって形成され、装填部３の印画紙１００が引き出される引出口の近傍において図示しないモーターによって回転される。給紙ローラー８の回転によって印画紙１００が装填部３から引き出されて搬送される。
【００３９】
折返しローラー９は給紙ローラー８の下方において回転自在に支持され、給紙ローラー８によって送られた印画紙１００をＵ字状に略１８０°折り返して搬送する機能を有している。折返しローラー９が設けられていることにより、印画紙１００の搬送経路を形成するためのスペースが小さくて済み小型化を図ることができる。また、折返しローラー９が設けられていることにより、印画紙１００の表裏の向きを反転することができ、装填部３や後述する排出部（排紙トレイ）を所望の向きに設定することが可能であり、設計の自由度の向上及び操作性の向上を図ることができる。
【００４０】
送りガイド１０は折返しローラー９の近傍に配置され、折返しローラー９の外周面に対向して位置された円弧部１０ａを有している。送りガイド１０には折返しローラー９の回転中心９ａに対応する位置に切欠部１０ｂが形成されている。送りガイド１０の円弧部１０ａには印画紙１００の搬送経路に沿って配置された複数の送りコロ１６、１６、・・・が回転自在に支持されている。
【００４１】
ガイド１１、１２は折返しローラー９の上方に配置されている。ガイド１１、１２は対向した状態で配置され、ガイド１２には印画紙１００の搬送経路に沿って配置された複数の送りローラー１７、１７、・・・が回転自在に支持されている。
【００４２】
印画紙１００の搬送経路のうち、給紙ローラー８と折返しローラー９の間の経路は折返し前経路Ｘとされ、折返しローラー９とガイド１１、１２の間の経路は折返し後経路Ｙとされている（図２参照）。
【００４３】
キャプスタン１３は同軸上に配置されたプーリー１８の中心部に固定され、駆動モーター１９の駆動力によって回転される（図１参照）。駆動モーター１９のモーター軸１９ａとプーリー１８の間には動力伝達ベルト２０が巻回されている。従って、キャプスタン１３は駆動モーター１９の駆動力が動力伝達ベルト２０及びプーリー１８を介して伝達されて回転される。
【００４４】
ピンチローラー１４は印画紙１００を挟んでキャプスタン１３に接触されキャプスタン１３の回転に伴って回転されて印画紙１００をキャプスタン１３と挟持して搬送する機能を有する。
【００４５】
プラテンローラー１５はピンチローラー１４の近傍に位置されており、印画紙１００に対する印刷時にヘッド機構部５が動作されたときに印画紙１００が押し付けられる。
【００４６】
ヘッド機構部５は先端部に設けられた印画ヘッド５ａを有し、該印画ヘッド５ａが印画紙１００に離接する方向へ移動可能とされている。ヘッド機構部５は印画ヘッド５ａの近傍に位置されたリボン用ローラー５ｂ、５ｂを有している。
【００４７】
リボン駆動部６はリボントレイ６ａと供給リール６ｂと巻取リール６ｃを有している。リボントレイ６ａには供給リール６ｂと巻取リール６ｃがそれぞれ回転自在に支持されている。
【００４８】
インクリボン２００は供給リール６ｂから供給され巻取リール６ｃによって巻き取られる。インクリボン２００はヘッド機構部５の動作により印画ヘッド５ａが印画紙１００に接近されたときにリボン用ローラー５ｂ、５ｂに押圧されて印画紙１００に近付く方向へ押し出され、リボン用ローラー５ｂ、５ｂの間に位置する部分が印画紙１００にプラテンローラー１５の反対側から押し付けられる。リボン駆動部６にあっては、巻取リール６ｃが図示しないリボン供給用モーターの駆動力によって回転されインクリボン２００が供給リール６ｂから供給される。
【００４９】
カッター機構部７はカッターを有し、印刷が行われた印画紙１００の所定の位置を切断する機能を有している。
【００５０】
外筐２には排出部として機能する排紙トレイ２１が装着されている。排紙トレイ２１には印画ヘッド５ａによって印刷されカッターによって切断された印画紙１００が排出される。
【００５１】
折返しローラー９は張力制御機構２２によって移動可能とされている。張力制御機構２２は回動レバー２３と付勢バネ２４とダンパー２５を有している（図２及び図３参照）。
【００５２】
回動レバー２３は一方向に長い板状に形成され、送りガイド１０の側方における近傍に位置されている。回動レバー２３の一端寄りの位置には回転支点部２３ａが設けられ、回動レバー２３は回転支点部２３ａを中心として回動される。回動レバー２３の一端部にはラック部２３ｂが設けられている。回動レバー２３の他端部にはバネ連結部２３ｃが形成されている。
【００５３】
折返しローラー９は中心部が回動レバー２３の他端寄りの位置に支持され、回動レバー２３に対して回転される。
【００５４】
付勢バネ２４としては、例えば、引張コイルバネが用いられており、付勢バネ２４は一端部が回動レバー２３のバネ支持部２３ｃに連結され他端部が外筐２の内部において固定された連結部材２６に連結されている。付勢バネ２４によって回動レバー２３は折返しローラー９が略下方へ移動する回動方向、即ち、折返しローラー９が送りガイド１０に支持された送りコロ１６、１６、・・・に接する方向へ付勢されている。
【００５５】
ダンパー２５はオイル封入部２５ａと該オイル封入部２５ａに回転自在に支持されたギヤ部２５ｂとから成り、該ギヤ部２５ｂから側方へ突出された図示しないオイル受部がオイル封入部２５ａの内部に配置されている。オイル封入部２５ａの内部には粘性抵抗を有するオイルが封入され、該オイルによってオイル受部が抵抗を受けてギヤ部２５ｂの回転速度が制御される。
【００５６】
ダンパー２５のギヤ部２５ｂは回動レバー２３のラック部２３ｂに噛合されている。従って、回動レバー２３はダンパー２５によって回動速度が制御される。
【００５７】
［プリンターの印刷動作］
上記のように構成されたプリンター１において、給紙ローラー８の回転によって印画紙１００が装填部３から取り出されて排出トレイ２１へ向けて送り出されると、印画紙１００は折返しローラー９によって搬送方向が反転され送りガイド１０及びガイド１１、１２に案内され、キャプスタン１３の回転によって排紙トレイ２１へ向けて搬送されていく。このとき印画紙１００は送りガイド１０に支持された回転可能な送りコロ１６、１６、・・・及びガイド１２に支持された回転可能な送りローラー１７、１７、・・・と接触しながら円滑に搬送される。
【００５８】
印画紙１００がプラテンローラー１５上を搬送されるときには、供給リール６ｂからインクリボン２００が供給されると共にヘッド機構部５が動作されて印画ヘッド５ａがインクリボン２００及び印画紙１００に接近する。印画ヘッド５ａがインクリボン２００及び印画紙１００に接近して接触すると、印画ヘッド５ａに設けられている複数の発熱素子が選択的に通電されて駆動しインクリボン２００に塗布されているインクが昇華されて印画紙１００に対する印刷が行われる。
【００５９】
印刷が行われた印画紙１００は引き続き排紙トレイ２１へ向けて搬送され、カッター機構部７の駆動により動作されたカッターによって印画紙１００が切断されて排紙トレイ２１に排出される。
【００６０】
［印刷時における張力制御機構の動作］
上記した印刷動作が行われているときには、印画紙１００の巻弛みの程度、印画紙１００のロール部１００ａにおける巻回量や重量の変動等によって印画紙１００を介して駆動モーター１９に負荷が付与される可能性がある。
【００６１】
このときプリンター１にあっては、以下のような張力制御機構２２による制御動作が行われる（図２及び図３参照）。
【００６２】
印画紙１００の張力が一定以下の場合には、張力制御機構２２の回動レバー２３が付勢バネ２４の付勢力によって下方側の回動端に位置され、折返しローラー９が印画紙１００を介して送りガイド１０に支持された送りコロ１６、１６、・・・に押し付けられている（図２参照）。
【００６３】
印画紙１００に対する負荷により駆動モーター１９に付与される負荷が大きくなると、付勢バネ２４の付勢力に抗して回動レバー２３が上方側へ回動され折返しローラー９が送りコロ１６、１６、・・・から離隔する方向へ移動される（図３参照）。従って、駆動モーター１９に付与される負荷が小さくなる。
【００６４】
このとき折返しローラー９の回転中心９ａは、図２及び図３に示すように、給紙ローラー８と折返しローラー９の間の折返し前経路Ｘと、折返しローラー９とガイド１１、１２の間の折返し後経路Ｙとを２等分した基準線Ｍよりも折返し前経路Ｘ側において移動される。従って、回動レバー２３が回動するときに、折返しローラー９に対して印画紙１００を送る方向への回転に対する負荷が付与され難い。
【００６５】
回動レバー２３の上記した回動動作は駆動モーター１９に付与される負荷に応じて行われ、駆動モーター１９に付与される負荷が大きくなったときには回動レバー２３が上方側へ回動され、駆動モーター１９に付与される負荷が小さくなったときには回動レバー２３が下方側へ回動される。
【００６６】
回動レバー２３が回動されるときには、ダンパー２５によって回動レバー２３の回動速度が制御され、回動レバー２３の高速での回動動作が抑制される。
【００６７】
［まとめ］
以上に記載した通り、プリンター１にあっては、駆動モーター１９に付与される負荷の大きさに応じて折返しローラー９を移動させて印画紙１００の張力を調整する張力制御機構２２を設け、折返し前経路Ｘと折返し後経路Ｙを２等分した基準線Ｍよりも折返し前経路Ｘ側において折返しローラー９の回動中心９ａを移動させるようにしている。
【００６８】
従って、機構の簡素化による小型化を確保することができると共に印画紙１００の搬送に支障を来たすことがなく駆動モーター１９の脱調を防止することができる。
【００６９】
また、張力制御機構２２に回動レバー２３の回動速度を制御するダンパー２５を設けているため、回動レバー２３の高速での回動動作が抑制され、印画紙１００の急激な張力の変動を抑制して駆動モーター１９の安定した駆動状態を確保することができる。
【００７０】
さらに、折返しローラー９を印画紙１００に押し付ける方向への付勢力を付与する付勢バネ２４を設けているため、印画紙１００の張力の変動に追従した回動レバー２３の安定した回動動作を確保することができると共に印画紙１００に対して適正な力で折返しローラー９が押し付けられ搬送動作の安定性を確保することができる。
【００７１】
加えて、回動レバー２３に対する付勢バネ２４の連結位置を折返しローラー９の回動レバー２３に対する支持点を挟んで回動支点部２３ａの反対側にしているため、付勢バネ２４として付勢力の小さなものを用いて製造コストの低減を図ることができる。
【００７２】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００７３】
【図１】図２及び図３と共に本発明プリンターの実施の形態を示すものであり、本図は、プリンターの概略側面図である。
【図２】回動レバーが一方の回動端に位置されている状態を示す拡大側面図である。
【図３】回動レバーが一方の回動端から回動された状態を示す拡大側面図である。
【符号の説明】
【００７４】
１…プリンター、３…装填部、５ａ…印画ヘッド、７…カッター機構部、８…給紙ローラー、９…折返しローラー、９ａ…回転中心、１３…キャプスタン、１４…ピンチローラー、１９…駆動モーター、２１…排紙トレイ（排出部）、２２…張力制御機構、２３…回動レバー、２３ａ…回動支点部、２４…付勢バネ、２５…ダンパー、１００…印画紙
【図１】
2011230303.tif 000003
【図２】
2011230303.tif 000004
【図３】
2011230303.tif 000005